(57)【要約】      （修正有）【課題】発電と同時に農地での作物の栽培を可能にする農地用の調整可能な多層太陽光発電パネルシステムを提供する。【解決手段】調整可能な多層太陽光発電パネルシステム１００は、取付け台１１０と、複数の太陽光発電パネル１２０と、洗浄モジュール１３０とを含む。前記取付け台は少なくとも１つの段を有する。前記太陽光発電パネルは前記取付け台の前記少なくとも１つの段の上に配置される。前記洗浄モジュールは前記取付け台の上に配置され、前記太陽光発電パネルを洗浄するように構成される。前記取付け台は基準レベルに設置され、前記少なくとも１つの段は前記基準レベルから垂直方向に離間されている。【選択図】図１
0003223189.tif 000002
【実用新案登録請求の範囲】
【請求項１】
少なくとも１つの段を有する取付け台と、
前記取付け台の前記少なくとも１つの段の上に配置された複数の太陽光発電パネルと、
前記取付け台の上に配置され、前記太陽光発電パネルを洗浄するように構成された洗浄モジュールと、を備え、
前記取付け台は基準レベルの上に配置され、前記取付け台の前記少なくとも１つの段は前記基準レベルから垂直方向に離間されている、
調整可能な多層太陽光発電パネルシステム。
【請求項２】
前記取付け台は、互いに対向配置された２つの第１のスタンド及び互いに対向配置された２つの第２のスタンドを有し、前記２つの第２のスタンドはそれぞれ前記２つの第１のスタンドの上に配置され、前記少なくとも１つの段は第１の段と第２の段を含み、前記２つの第１のスタンドは前記第１の段を備え、前記２つの第２のスタンドは前記第２の段を備え、前記太陽光発電パネルが前記２つの第１のスタンドの前記第１の段の上及び前記２つの第２のスタンドの前記第２の段の上に配置されている、請求項１に記載の調整可能な多層太陽光発電パネルシステム。
【請求項３】
前記２つの第２のスタンド上の前記太陽光発電パネルと前記２つの第１のスタンド上の前記太陽光発電パネルは垂直方向に相隔てられ且つ水平方向に並べて配置されている、請求項２に記載の調整可能な多層太陽光発電パネルシステム。
【請求項４】
前記第１の段と前記基準レベルとの間に第１の垂直間隔が設けられ、前記第２の段と前記第１の段との間に第２の垂直間隔が設けられている、請求項２に記載の調整可能な多層太陽光発電パネルシステム。
【請求項５】
前記太陽光発電パネルの各々は１つの水平部と２つの傾斜部を有し、前記水平部は前記取付け台から離間され、前記２つの傾斜部は前記水平部の各々の２つの辺に斜めに連結され且つ前記取付け台にもたれている、請求項１に記載の調整可能な多層太陽光発電パネルシステム。
【請求項６】
前記洗浄モジュールは第１の洗浄パイプラインと複数の第２の洗浄パイプラインを備え、前記第１の洗浄パイプラインは前記少なくとも１つの段の上に配置され且つ前記太陽光発電パネルの２つの隣接する太陽光発電パネルの間に位置し、前記第２の洗浄パイプラインは前記第１の洗浄パイプラインの両側に配置され且つ前記第１の洗浄パイプラインに隣接する前記２つの太陽光発電パネルの下に位置する、請求項１に記載の調整可能な多層太陽光発電パネルシステム。
【請求項７】
前記洗浄モジュールは複数の第１の放水孔及び複数の第２の放水孔を有し、前記第１の放水孔及び前記第２の放水孔は前記隣接する太陽光発電パネルに面し、且つ前記第１の放水孔及び前記第２の放水孔は前記太陽光発電パネルを洗浄するために水をスプレーするように構成されている、請求項１に記載の調整可能な多層太陽光発電パネルシステム。
【請求項８】
前記洗浄モジュールは前記太陽光発電パネルに電気的に接続され、前記太陽光発電パネルが前記洗浄モジュールを駆動するために電気エネルギーを供給する、請求項１に記載の調整可能な多層太陽光発電パネルシステム。
【請求項９】
前記取付け台の上に配置され且つ前記太陽光発電パネルの１つの太陽光発電パネルの下に位置する少なくとも１つのスプレーアセンブリを更に備え、前記少なくとも１つのスプレーアセンブリは第１のパイプライン及び第２のパイプラインを有し、前記第１のパイプラインは複数の第１のスプレー孔を有し、前記第２のパイプラインは複数の第２のスプレー孔を有し、前記第１のスプレー孔及び前記第２のスプレー孔は灌漑用水及び農薬をスプレーするように構成されている、請求項１に記載の調整可能な多層太陽光発電パネルシステム。
【請求項１０】
前記少なくとも１つのスプレーアセンブリは前記太陽光発電パネルの１つの太陽光発電パネルに電気的に結合され、該太陽光発電パネルが前記少なくとも１つのスプレーアセンブリを駆動するために電気エネルギーを供給する、請求項９に記載の調整可能な多層太陽光発電パネルシステム。
【請求項１１】
前記２つの第１のスタンドの上に配置された前記太陽光発電パネルの数は４であり、前記２つの第２のスタンドの上に配置された前記太陽光発電パネルの数は３である、請求項２に記載の調整可能な多層太陽光発電パネルシステム。
【請求項１２】
前記洗浄モジュールは２つの第１の洗浄パイプラインと複数の第２の洗浄パイプラインを備え、前記２つの第１の洗浄パイプラインは前記第２の段の上に配置され且つ前記３つの太陽光発電パネルの間に位置し、前記第２の洗浄パイプラインはそれぞれ前記２つの第２のスタンド上の前記太陽光発電パネルの下に配置されている、請求項１１に記載の調整可能な多層太陽光発電パネルシステム。
【請求項１３】
前記取付け台は互いに対向配置された２つの第３のスタンドを更に備え、前記２つの第３のスタンドはそれぞれ前記２つの第２のスタンドの上に配置され、前記２つの第１のスタンドの上に配置された前記太陽光発電パネルの数は３であり、前記２つの第２のスタンドの上に配置された前記太陽光発電パネルの数は４であり、前記２つの第３のスタンドの上に配置された前記太陽光発電パネルの数は２である、請求項２に記載の調整可能な多層太陽光発電パネルシステム。
【請求項１４】
前記洗浄モジュールは１つの第１の洗浄パイプライン及び複数の第２の洗浄パイプラインを備え、前記第１の洗浄パイプラインは前記２つの第３のスタンドの第３の段に配置され且つ２つの第３のスタンド上の前記２つの太陽光発電パネルの間に位置し、前記第２の洗浄パイプラインはそれぞれ前記２つの第２のスタンド上及び前記第３の第２のスタンド上の前記太陽光発電パネルの下に配置されている、請求項１３に記載の調整可能な多層太陽光発電パネルシステム。
【請求項１５】
前記太陽光発電パネルの各々は平坦形状、三角形状又は円弧形状である、請求項１に記載の調整可能な多層太陽光発電パネルシステム。
【考案の詳細な説明】
【技術分野】
【０００１】
本考案は、多層太陽光発電パネルに関し、より詳しくは、農地用の調整可能な多層太陽光発電パネルシステムに関する。
【背景技術】
【０００２】
太陽光発電パネルは光起電力効果により可視光を電気エネルギーに変換することができる装置である。太陽光発電パネルを据え付ける既存の方法は屋根取付け型、外壁取付け型及び地上取付け型に大別することができる。屋根及び外壁取付け型では、太陽光発電パネルは建物の屋根の上又は高いビルディングの外壁の上に配置される。地上取付け型では、太陽光発電パネルは地面の上に配置され、地上取付け型太陽光発電パネルは殆どの場合大面積の農地に使用される。それにもかかわらず、地上取付け型太陽光発電パネルの据付けに使用される既存の方法では、太陽光発電パネルは大地を覆い、太陽光線が大地を照射できなくなるため、農業用地はもはや作物を作るために使用できなくなり、よって農地自体の農業的価値が失われてしまう。
【考案の概要】
【考案が解決しようとする課題】
【０００３】
本考案は、発電と同時に農地での作物の栽培を可能にする農地用の調整可能な多層太陽光発電パネルシステムを提供する。
【課題を解決するための手段】
【０００４】
本考案は、取付け台と、複数の太陽光発電パネルと、洗浄モジュールとを含む調整可能な多層太陽発電パネルシステムを提供する。前記取付け台は少なくとも１つの段を有する。前記太陽光発電パネルは前記取付け台の前記少なくとも１つの段の上に配置される。前記洗浄モジュールは前記取付け台の上に配置され、前記太陽光発電パネルを洗浄するように構成される。前記取付け台は基準レベルに設置され、前記少なくとも１つの段は前記基準レベルから垂直方向に離間されている。
【０００５】
本考案の一実施形態では、前記取付け台は、互いに対向配置された２つの第１のスタンド及び互いに対向配置された２つの第２のスタンドを有し、前記２つの第２のスタンドはそれぞれ前記２つの第１のスタンドの上に配置され、前記少なくとも１つの段は第１の段と第２の段を含む。前記２つの第１のスタンドは前記第１の段を備え、前記２つの第２のスタンドは前記第２の段を備える。前記太陽光発電パネルが前記２つの第１のスタンドの前記第１の段の上及び前記２つの第２のスタンドの前記第２の段の上に配置される。
【０００６】
本考案の一実施形態では、前記２つの第２のスタンド上の前記太陽光発電パネルと前記２つの第１のスタンド上の前記太陽光発電パネルは垂直方向に相隔てられ且つ水平方向に並べて配置されている。
【０００７】
本考案の一実施形態では、前記第１の段と前記基準レベルとの間に第１の垂直間隔が与えられ、前記第２の段と前記第１の段との間に第２の垂直間隔が与えられている。
【０００８】
本考案の一実施形態では、前記太陽光発電パネルの各々は１つの水平部と２つの傾斜部を有し、前記水平部は前記取付け台から離間され、前記２つの傾斜部は前記水平部の各々の２つの辺に斜めに連結され且つ前記取付け台にもたれている。
【０００９】
本考案の一実施形態では、前記洗浄モジュールは第１の洗浄パイプラインと複数の第２の洗浄パイプラインを備える。前記第１の洗浄パイプラインは前記少なくとも１つの段の上に配置され且つ前記太陽光発電パネルの２つの隣接する太陽光発電パネルの間に位置する。前記第２の洗浄パイプラインは前記第１の洗浄パイプラインの両側に配置され且つ前記第１の洗浄パイプラインに隣接する前記２つの太陽光発電パネルの下に位置する。
【００１０】
本考案の一実施形態では、前記洗浄モジュールは複数の第１の放水孔及び複数の第２の放水孔を有し、前記第１の放水孔及び前記第２の放水孔は前記隣接する太陽光発電パネルに面する。前記第１の放水孔及び前記第２の放水孔は前記太陽光発電パネルを洗浄するために水をスプレーすることができる。
【００１１】
本考案の一実施形態では、前記洗浄モジュールは前記太陽光発電パネルに電気的に接続され、前記太陽光発電パネルが前記洗浄モジュールを駆動するために電気エネルギーを供給する。
【００１２】
本考案の一実施形態では、前記調整可能な多層太陽光発電パネルは更に、前記取付け台の上に配置され且つ前記太陽光発電パネルの１つの太陽光発電パネルの下に位置する少なくとも１つのスプレーアセンブリを備える。前記少なくとも１つのスプレーアセンブリは第１のパイプライン及び第２のパイプラインを有し、前記第１のパイプラインは複数の第１のスプレー孔を有し、前記第２のパイプラインは複数の第２のスプレー孔を有する。前記第１のスプレー孔及び前記第２のスプレー孔は灌漑用水及び農薬をスプレーするように構成される。
【００１３】
本考案の一実施形態では、前記少なくとも１つのスプレーアセンブリは前記太陽光発電パネルの１つの太陽光発電パネルに電気的に結合され、該太陽光発電パネルが前記少なくとも１つのスプレーアセンブリを駆動するために電気エネルギーを供給する。
【考案の効果】
【００１４】
本考案により提供される太陽光発電パネルシステムでは、複数の太陽光発電パネルが基準レベルから間隔を置いて配置された多層取付け台の上に配置されるため、依然として農地を作物の栽培に使用することができる。太陽光発電パネルの各々は互いに間隔を置いて配置されるため、太陽光は農地上の太陽光発電パネルと作物の両方を照射することができ、発電と作物栽培の目的を達成することができる。加えて、洗浄アセンブリが２つの隣接する太陽光発電パネルの間に配置され、洗浄水をスプレーして太陽光発電パネル上に堆積した塵埃を洗浄することができる。
【００１５】
上記の概要をもっと理解しやすくするために、いくつかの実施形態を、添付図面を参照して以下に詳細に説明する。
【図面の簡単な説明】
【００１６】
【図１】本考案の一実施形態による調整可能な多層太陽光発電パネルシステムの概略３次元ビューである。
【図２】図１の調整可能な多層太陽光発電パネルシステムの概略拡大図である。
【図３】日光の下での図１の調整可能な多層太陽光発電パネルシステムの概略拡大図である。
【図４】本考案の別の実施形態による調整可能な多層太陽光発電パネルシステムの概略平面図である。
【図５】本考案の更に別の実施形態による調整可能な多層太陽光発電パネルシステムの概略平面図である。
【図６】図６Ａ〜図６Ｃは、本考案の他の実施形態による、四角形状の、三角形状の、及び円弧形状の太陽光発電パネルを採用する調整可能な多層太陽光発電パネルシステムの概略平面図である。
【考案を実施するための形態】
【００１７】
図１は本考案の一実施形態による調整可能な多層太陽光発電パネルシステムの概略３次元ビューである。図２は図１の調整可能な多層太陽光発電パネルシステムの概略拡大図である。図３は日光の下での図１の調整可能な多層太陽光発電パネルシステムの概略平面図である。
【００１８】
図１、図２及び図３を参照すると、調整可能な太陽光発電パネルシステム１００は取付け台１１０と、複数の太陽光発電パネル１２０と、洗浄モジュール１３０とを含む。この実施形態では、取付け台１１０は基準レベルＧ、例えば農地の地面の上に据え付けられる。取付け台１１０は少なくとも１つの段を有し、該取付け台の少なくとも１つの段は基準レベルＧから垂直方向に離隔される。ここで、前記少なくとも１つの段と基準レベルＧとの間の間隔Ｈ１は垂直間隔であり、よって作物Ｃを栽培するための空間が与えられ、基準レベルＧにある農地で作物を栽培することが可能である。
【００１９】
太陽光発電パネル１２０は取付け台１１０前記の少なくとも１つの段の上に間隔を置いて配置され、それぞれの太陽光発電パネル１２０間の水平間隔Ｄは例えば１メートルである。このようにすると、太陽光Ｒは太陽光発電パネル１２０の各々を照射しながら、太陽光発電パネル１２０の各々を貫通して作物Ｃも照射することができる。加えて、太陽光発電パネル１２０の各々は取付け台１１０の前記少なくとも１つの段の上に配されるため、太陽光発電パネル１２０の各々と基準レベルＧとの間にも同じ垂直間隔が与えられる。他の実施形態では、水平間隔Ｄは太陽光発電パネル１２０の各々のサイズに基づいて増大または減少させることができ、本考案はこれに限定されない。洗浄モジュール１３０は取付け台１１０の上に配置され、複数の太陽光発電パネル１２０を洗浄するように構成され、洗浄モジュール１３０は２つの隣接する太陽光発電パネル１２０の間に設置される。洗浄モジュール１３０は左側及び右側に位置する２つの隣接する太陽光発電パネル１２０を洗浄するように洗浄水Ｗ１をスプレーする。本明細書において、取付け台１１０は幅Ｗ及び長さＬを有し、調整可能な多層太陽光発電パネルシステム１００の幅Ｗ及び長さＬは農地の異なる大きさ及び方位に基づいて調整し、取り付ける太陽光発電パネル１２０の数を増減することができる。加えて、実際のニーズを満たすように、太陽光発電パネル１２０の方位を日の出及び日の入りの方位に基づいて調整することもでき、太陽光発電パネル１２０の各々の高さも作物Ｃに要求される照射時間に基づいて調整することができる。
【００２０】
更に、この実施形態では、取付け台１１０は互いに対向配置された２つの第１のスタンド１１１と、互いに対応配置された２つの第２のスタンド１１２とを有する。前記１つの以上の段は第１の段Ｔ１及び第２の段Ｔ２を含む。２つの第１のスタンド１１１は第１の段Ｔ１を含み、２つの第２のスタンド１１２は第２の段Ｔ２を含む。２つの第１のスタンド１１１は互いに対向して基準レベルＧ上に取り付けられる。２つの第２のスタンド１１２は２つの第１のスタンド１１１の上にそれぞれ取り付けられる。具体的には、第１の垂直間隔Ｈ１は第１の段Ｔ１と基準レベルＧとの間に与えられる。本明細書において、第１の垂直間隔Ｈ１は例えば２メートルであり、また必要に応じて決定することができ、例えば垂直距離Ｈ１は２メートルより大きくしても又は２メートルより小さくしてもよく、本考案はこれに限定されない。第２のスタンド１１２は第１のスタンド１１１の第１の段Ｔ１の上に積み重ねられ、固定され、垂直間隔Ｈ２が第２のスタンド１１２の第２の段Ｔ２と第１のスタンド１１１の第１の段Ｔ１との間に与えられる。第２の垂直間隔Ｈ２は例えば１メートルであり、また必要に応じ増減することができ、本考案はこれに限定されない。加えて、第２のスタンド１１２の各々は第１のスタンド１１１の対応する１つに、はんだ付け、固締め、係止又は他の固定方法によって連結することができる。他の実施形態では、取付け台は複数のスタンドのセットで構成することができ、電源のニーズを満足するように複数の太陽光発電パネルが複数のスタンドのセットに配置されるように構成される。
【００２１】
図３を参照すると、複数の太陽光発電パネル１２０が２つの第１のスタンド１１１の第１の段Ｔ１の上及び２つの第２のスタド１１２の第２の段Ｔ２の上に配置されている。例えば、３つの太陽光発電パネル１２０が２つの第１のスタンド１１１の上に間隔を置いて配置され、２つの太陽光発電パネル１２０が２つの第２のスタンドの上に間隔を置いて配置される。更に、２つの第２のスタンド間に配置された２つの太陽光発電パネル１２０と２つの第１のスタンド間に配置された３つの太陽光発電パネルは垂直方向に相隔てられ且つ水平方向に並べて配置される。具体的には、２つの第２のスタンド１１２上に配置された２つの太陽光発電パネル１２０と２つの第１のスタンド１１１上に配置された３つの太陽光発電パネルは第２の垂直間隔Ｈ２だけ垂直方向に離間されるとともに垂直方向に重ならない。他の実施形態では、例えば、３つ以上の太陽光発電パネルを２つの第１のスタンド上に配置し、例えば、２つ以上の太陽光発電パネルを２つの第２のスタンド上に配置することができ、これは実際のニーズに基づいて決定することができる。
【００２２】
更に、太陽光発電パネル１２０の各々は水平部１２１と２つの傾斜部１２２を有する。水平部１２１の各々は対応する第１のスタンド１１１又は対応する第２のスタンド１１２から水平方向に離間される。２つの傾斜部１２２は水平部１２１の各々の２つの辺に斜めに結合され、取付け台１１０の第１のスタンド１１１又は第２のスタンド１１２にもたれている。例えば、太陽光発電パネル１２０の各々の外観は台形であり、これは太陽光発電パネル１２０の各々の幅寸法が垂直角θｐとともに次第に大きくなることを意味する。午前中、太陽光Ｒは第１の角度θ１で斜めに照射し、太陽光発電パネル１２０の各々の水平部１２１及び傾斜部１２２の一方に到達するとともに、太陽光Ｒの一部分が第２の垂直間隔Ｈ２を通って作物Ｃを照射することができる。正午には、太陽光Ｒは垂直角θｐで照射し、太陽光発電パネル１２０の各々の水平部及び２つの傾斜部１２２に到達するが、太陽光Ｒは作物Ｃを直接照射しないため水分が急速に失われることはない。夕方には、太陽光Ｒは第２の角度θ２で斜めに照射し、太陽光発電パネル１２０の各々の水平部１２１及び傾斜部１２２の他方に到達するとともに、太陽光Ｒの一部分が第２の垂直間隔Ｈ２を通って作物Ｃを照射することができる。このように、太陽光発電パネル１２０の各々は午前、正午及び夕方の３つの時間帯において十分な太陽光を受けることができ、太陽光発電パネル１２０の各々により発電される電力が増大される。
【００２３】
図１及び図２を再び参照すると、洗浄モジュール１３０は第１の洗浄パイプライン１３１ａ、複数の第２の洗浄パイプライン１３１ｂ、及び抽出モータ１３２を含む。第１の洗浄パイプライン１３１ａは２つの第２のスタンド１１２の第２の段Ｔ２上に配置されるとともに、第１の洗浄パイプライン１３１ａは２つの第２のスタンド１１２上の２つの太陽光発電パネル１２０の間に位置する。複数の第２の洗浄パイプライン１３１ｂは第１の洗浄パイプライン１３１ａの両側に位置し、２つの第２のスタンド１１２の間に接続される。更に、複数の第２の洗浄パイプライン１３１ｂは第１の洗浄パイプライン１３１ａに隣接する２つの太陽光発電パネル１２０の下に位置する。第１の洗浄パイプライン１３１ａは複数の第１の水流出孔１３１１ａを有し、第２の洗浄パイプライン１３１ｂの各々は複数の第１の水流出孔１３１１ｂを有する。第１の放水孔１３１１ａの各々及び第２の放水孔１３１１ｂの各々はそれぞれ、２つの第２のスタンド１１２上の隣接する太陽光発電パネル１２０及び２つの第１のスタンド１１１上の隣接する太陽光発電パネル１２０に面する。洗浄モジュール１３０が駆動されると、抽出モータ１３２が洗浄水Ｗ１を第１の洗浄パイプライン１３１ａ及び第２の洗浄パイプライン１３１ｂに送り、第１の放水孔１３１１ａの各々及び第２の放水孔１３１１ｂから洗浄水Ｗ１を隣接する太陽光発電パネル１２０にスプレーして太陽光発電パネル１２０の各々の水平部１２１及び２つの傾斜部１２２の上に堆積した塵埃を洗浄することができる。更に、洗浄水Ｗ１は２つの傾斜部１２２に沿って循環パイプライン（図示せず）に導かれ流入し、洗浄後に循環プール（図示せず）に送り込まれ、洗浄水Ｗ１は濾過され、浄化され、その後洗浄モジュール１３０に送り戻されるため、洗浄水Ｗ１は再利用することができる。
【００２４】
加えて、洗浄モジュール１３０の抽出モータ１３２は、例えば複数の太陽光発電パネル１２０に電気的に結合され、太陽光発電パネル１２０により発生された電気エネルギーによって洗浄処理を実行する。具体的には、太陽光発電パネル１２０の各々は制御装置（図示せず）に電気的に結合され、制御装置は太陽光発電パネル１２０の各々の光電変換により発生された電気エネルギーをエネルギー蓄積システムに送るように又は電力送電用ケーブルに直接送るように構成される。その電気エネルギーの一部分が抽出モータ１３２を駆動するために使用されるため、抽出モータ１３２は追加の電源を採用することなく特定の時刻に洗浄水Ｗ１を自動的にスプレーすることができる。
【００２５】
図１及び図２を再び参照すると、調整可能な多層太陽光発電パネルシステム１００は更に、取付け台１１０の上に配置され且つ太陽光発電パネル１２０の少なくとも１つの下に位置する少なくとも１つのスプレーアセンブリ１４０を含む。この実施形態では、前記少なくとも１つのスプレーアセンブリ１４０の数は例えば２であり、スプレーアセンブリ１４０の各々は第１のパイプライン１４１及び第２のパイプライン１４２を有する。第１のパイプライン１４１及び第２のパイプライン１４２は太陽光発電パネル１２０１つに格納される。第１のパイプライン１４１は複数の第１のスプレー孔１４１１を有し、第２のパイプライン１４２は複数の第２のスプレー孔１４２１を有する。例えば、複数の第１のスプレー孔１４１１及び複数の第２のスプレー孔１４２１はそれぞれ、灌漑用水Ｗ２及び農薬Ｐをスプレーするために使用することができる。加えて、スプレーアセンブリ１４０の各々は、例えば太陽光発電パネル１２０の１つに電気的に結合され、太陽光発電パネル１２０により発生される電気エネルギーによって灌漑用水及び農薬をスプレーする処理を実行する。上述したように、前記制御装置はスプレー装置１４０の各々を駆動するために太陽光発電パネル１２０により発生された電気エネルギーの一部分を使用することもできるため、スプレーアセンブリ１４０の各々は追加の電源を採用することなく特定の時刻に灌漑用水Ｗ２及び農薬Ｐを自動的にスプレーすることができる。
【００２６】
他の実施形態では、前記少なくとも１つのスプレーアセンブリの数は、例えば、複数であり、スプレーアセンブリの各々は太陽光発電パネルの各々の下部に配置されるので、より多量の灌漑用水及び農薬を必要とする作物のために使用することができ、前記少なくとも１つのスプレーアセンブリの数は実際のニーズに基づいて決定される。
【００２７】
他の実施形態は例示として以下に記載される。前実施形態における参照番号及び記載内容の一部が以下の実施形態に使用され、同じ参照番号は同一もしくは同様のコンポーネントを示し、同じ技術的内容の反復記載は省略されている。以下で反復されない省略された内容については前実施形態の記載を参照されたい。
【００２８】
図４は、本考案の別の実施形態による調整可能な多層太陽光発電パネルシステムの概略平面図である。図４と図３を参照すると、この実施形態の調整可能な多層太陽光発電パネルシステム１００Ｂは前実施形態の調整可能な多層太陽光発電パネルシステム１００と、取付け台１１０ｂが幅Ｗｂ及び高さＨｂを有する点で相違する。取付け台１１０ｂの幅Ｗｂは、例えば、取付け台１１０の幅Ｗより大きいが、高さＨｂは高さＨに等しい。それゆえ、取付け台１１０ｂはより多数の太陽光発電パネル１２０ｂを搭載するために使用でき、従ってより大きな面積の農地に適している。
【００２９】
この実施形態では、２つの第１のスタンド１１１ｂ上に配置された太陽光発電パネル１２０の数は、例えば、４であり、２つの第２のスタンド１１２ｂ上に配置された太陽光発電パネル１２０ｂの数は３であり、２つの隣接する太陽光発電パネル１２０ｂの間に水平間隔Ｄが与えられている。具体的には、２つの第２のスタンド１１２ｂの上に配置された３つの太陽光発電パネル１２０ｂと２つの第１のスタンド１１１上に配置された４つの太陽光発電パネル１２０ｂは第２の垂直間隔Ｈ２だけ垂直方向に離間されるとともに垂直方向に重ならない。
【００３０】
更に、洗浄モジュール１３０ｂは第１の洗浄パイプライン１３１ａと、複数の第２の洗浄パイプライン１３１ｂを含む。２つの洗浄パイプライン１３１ａは２つの第２のスタンド１１２ｂの第２の段Ｔ２上に配置され、３つの太陽光発電パネル１２０ｂの間に位置する。複数の第２の洗浄パイプライン１３１ｂはそれぞれ２つの第２のスタンド１１２ｂ上に配置された３つの太陽光発電パネル１２０ｂの下に配置される。
【００３１】
図５は、本考案の更に別の実施形態による調整可能な多層太陽光発電パネルシステムの概略平面図である。図５と図４を参照すると、この実施形態の調整可能な多層太陽光発電パネルシステム１００Ｃは前実施形態の調整可能な多層太陽光発電パネルシステム１００Ｂと、取付け台１１０ｃが幅Ｗｃ及び高さＨｃを有する点で相違する。取付け台１１０ｃの幅Ｗｃは、例えば、取付け台１１０ｂの幅Ｗｂより大きく、高さＨｃは高さＨｂより大きい。それゆえ、取付け台１１０ｂと比較すると、取付け台１１０ｃ上に取り付けられる太陽光発電パネル１２０の数及び最大高さが増加するため、取付け台１１０ｃはさらに大きな面積を有する農地に適用することができる。
【００３２】
この実施形態では、取付け台１１０ｃは更に、互いに対向配置された２つの第３のスタンド１１３ｃを含む。２つの第３のスタンド１１３ｃはそれぞれ２つの第２のスタンド１１２ｃの上に配置され、第３の間隔Ｈ３だけ垂直方向に離間される。具体的には、２つの第１のスタンド１１１ｃ上に配置された太陽光発電パネル１２０ｃの数は３であり、２つの第２のスタンド１１２ｃ上に配置された太陽光発電パネル１２０ｃの数は４であり、２つの第３のスタンド１１３ｃ上に配置された太陽光発電パネル１２０ｃの数は２である。第３の垂直間隔Ｈ３及び第２の垂直間隔Ｈ２が２つの第３のスタンド１１３ｃ、２つの第２のスタンド１１２ｃ、及び２つの第１のスタンド１１１ｃによって垂直方向に順に与えられ、異なる段（Ｔ１，Ｔ２及びＴ３）上に配置された複数の太陽光発電パネル１２０ｃは垂直方向に重ならないため、最大の太陽光暴露面積が得られる。
【００３３】
更に、洗浄モジュール１３０は第１の洗浄パイプライン１３１ａと２つの第２の洗浄パイプライン１３１ｂを含む。第１の洗浄パイプライン１３１ａは２つの第３のスタンド１１３ｃの第３の段Ｔ３上に配置され、２つの第３のスタンド１１３ｃ上の２つの太陽光発電パネル１２０ｃの間に位置する。複数の第２の洗浄パイプライン１３１ｂはそれぞれ２つの第２のスタンド１１２ｃの上及び２つの第３のスタンド１１３ｃの上の複数の太陽光発電パネル１２０ｃの下部に配置される。
【００３４】
図６Ａ〜図６Ｃは、本考案の他の実施形態による、平坦形状の、三角形状の及び円弧形状の太陽光発電パネルを採用する調整可能な多層太陽光発電パネルシステムの概略平面図である。
【００３５】
他の実施形態において、図６Ａ〜図６Ｃを参照すると、調整可能な多層太陽光発電パネルシステム１００は環境に適応するように又は異なるスタイル／モデルを強調するように異なる形状の太陽光発電パネルを採用することができる。例えば、平坦形状の太陽光発電パネル１２０ｄ、三角形状の太陽光発電パネル１２０ｅ、又は円弧形状の太陽光発電パネル１２０ｆを採用することができる。更に、３つの太陽光発電パネル１２０ｄ、１２０ｅ、又は１２０ｆが２つの第１のスタンド１１１の上に間隔を置いて配置され、残りの太陽光発電パネル１２０ｄ、１２０ｅ、又は１２０ｆが２つの第２のスタンド１１２の上に間隔を置いて配置される。加えて、２つの第２のスタンド１１２の間に配置された２つの太陽光発電パネル１２０と２つの第１のスタンド１１１の間に配置された３つの太陽光発電パネル１２０は垂直方向に相隔てられ且つ水平方向に並置される。
【００３６】
以上を考慮すると、本考案により提供される太陽光発電パネルシステムでは、複数の太陽光発電パネルが基準レベルから間隔を置いて配置された多層取付け台の上に搭載されるため、依然として農地を作物の栽培のために使用することができる。太陽光発電パネルの各々は間隔を置いて配置されるため、太陽光は太陽光発電パネルと農地の作物の両方を照射することができ、発電と作物栽培の目的を達成することができる。具体的には、本考案により提供される複数の太陽光発電パネルは上下に間隔を置いて且つ左右に並べて配置される（又は垂直方向に相隔てられ且つ水平方向に並置される）ため、太陽光発電パネルの各々を太陽光に長時間暴露することができるとともに、太陽光が太陽光発電パネルの間の間隔を通って基準レベルの作物を照射することができる。
【００３７】
加えて、本考案では洗浄アセンブリ及びスプレーアセンブリが更に配置され、洗浄アセンブリは太陽光発電パネルの上に堆積した塵埃を洗浄するために洗浄水を吹き付けることができ、スプレーアセンブリは、労働力の節約及び栽培効率の向上のために灌漑用水及び農薬をスプレーするように構成される。従って、本考案により提供される太陽光発電パネルシステムは長時間の太陽光照射及び大きな発電容量などの利点を特徴とし、自動的な太陽光発電パネル洗浄、灌漑及び農薬スプレー等のプロセスを実行することができ、よって所要のセットアップ費を低くできるとともに、農地を十分に利用することもできる。
【００３８】
当業者に明らかのように、開示の実施形態には開示の範囲及び精神から逸脱することなく様々な修正及び変更を加えることができる。以上を考慮すると、本開示はこれらの修正及び変更をそれらが後記の請求項及びそれらの均等物の範囲に含まれるならばカバーすることを意図する。
【符号の説明】
【００３９】
１００；１００Ｂ；１００Ｃ：多層太陽光発電パネルシステム
１１０；１１０ｂ；１１０ｃ：取付け台
１１１；１１１ｂ；１１１ｃ：第１のスタンド
１１２；１１２ｂ；１１２ｃ：第２のスタンド
１２０；１２０ｂ：１２０ｃ：太陽光発電パネル
１３０；１３０ｂ；１３０ｃ：洗浄モジュール
１３１ａ：第１の洗浄パイプライン
１３１ｂ：第２の洗浄パイプライン
１４０；１４０ｂ；１４０ｃ：スプレーアセンブリ
１４１：第１のパイプライン
１４２：第２のパイプライン
Ｔ１：第１の段
Ｔ２：第２の段
Ｔ３：第３の段
Ｈ１：第１の垂直間隔
Ｈ２：第２の垂直間隔
Ｈ３：第３の垂直間隔
Ｄ：水平間隔
Ｗ１：洗浄水
Ｗ２：灌漑用水
Ｐ：農薬
Ｒ：太陽光
【図１】
0003223189.tif 000003
【図２】
0003223189.tif 000004
【図３】
0003223189.tif 000005
【図４】
0003223189.tif 000006
【図５】
0003223189.tif 000007
【図６Ａ】
0003223189.tif 000008
【図６Ｂ】
0003223189.tif 000009
【図６Ｃ】
0003223189.tif 000010
【手続補正書】
【提出日】令和1年7月26日(2019.7.26)
【手続補正１】
【補正対象書類名】実用新案登録請求の範囲
【補正対象項目名】全文
【補正方法】変更
【補正の内容】
【実用新案登録請求の範囲】
【請求項１】
少なくとも１つの段を有する取付け台と、
前記取付け台の前記少なくとも１つの段の上に配置された複数の太陽光発電パネルと、
前記取付け台の上に配置され、前記太陽光発電パネルを洗浄するように構成された洗浄モジュールと、を備え、
前記取付け台は基準レベルの上に配置され、前記取付け台の前記少なくとも１つの段は前記基準レベルから垂直方向に離間されている、
調整可能な多層太陽光発電パネルシステム。
【請求項２】
前記取付け台は、互いに対向配置された２つの第１のスタンド及び互いに対向配置された２つの第２のスタンドを有し、前記２つの第２のスタンドはそれぞれ前記２つの第１のスタンドの上に配置され、前記少なくとも１つの段は第１の段と第２の段を含み、前記２つの第１のスタンドは前記第１の段を備え、前記２つの第２のスタンドは前記第２の段を備え、前記太陽光発電パネルが前記２つの第１のスタンドの前記第１の段の上及び前記２つの第２のスタンドの前記第２の段の上に配置されている、請求項１に記載の調整可能な多層太陽光発電パネルシステム。
【請求項３】
前記２つの第２のスタンド上の前記太陽光発電パネルと前記２つの第１のスタンド上の前記太陽光発電パネルは垂直方向に相隔てられ且つ水平方向に並べて配置されている、請求項２に記載の調整可能な多層太陽光発電パネルシステム。
【請求項４】
前記第１の段と前記基準レベルとの間に第１の垂直間隔が設けられ、前記第２の段と前記第１の段との間に第２の垂直間隔が設けられている、請求項２に記載の調整可能な多層太陽光発電パネルシステム。
【請求項５】
前記太陽光発電パネルの各々は１つの水平部と２つの傾斜部を有し、前記水平部は前記取付け台から離間され、前記２つの傾斜部は前記水平部の各々の２つの辺に斜めに連結され且つ前記取付け台にもたれている、請求項１に記載の調整可能な多層太陽光発電パネルシステム。
【請求項６】
前記洗浄モジュールは第１の洗浄パイプラインと複数の第２の洗浄パイプラインを備え、前記第１の洗浄パイプラインは前記少なくとも１つの段の上に配置され且つ前記太陽光発電パネルの２つの隣接する太陽光発電パネルの間に位置し、前記第２の洗浄パイプラインは前記第１の洗浄パイプラインの両側に配置され且つ前記第１の洗浄パイプラインに隣接する前記２つの太陽光発電パネルの下に位置する、請求項１に記載の調整可能な多層太陽光発電パネルシステム。
【請求項７】
前記洗浄モジュールは複数の第１の放水孔及び複数の第２の放水孔を有し、前記第１の放水孔及び前記第２の放水孔は隣接する太陽光発電パネルに面し、且つ前記第１の放水孔及び前記第２の放水孔は前記太陽光発電パネルを洗浄するために水をスプレーするように構成されている、請求項１に記載の調整可能な多層太陽光発電パネルシステム。
【請求項８】
前記洗浄モジュールは前記太陽光発電パネルに電気的に接続され、前記太陽光発電パネルが前記洗浄モジュールを駆動するために電気エネルギーを供給する、請求項１に記載の調整可能な多層太陽光発電パネルシステム。
【請求項９】
前記取付け台の上に配置され且つ前記太陽光発電パネルの１つの太陽光発電パネルの下に位置する少なくとも１つのスプレーアセンブリを更に備え、前記少なくとも１つのスプレーアセンブリは第１のパイプライン及び第２のパイプラインを有し、前記第１のパイプラインは複数の第１のスプレー孔を有し、前記第２のパイプラインは複数の第２のスプレー孔を有し、前記第１のスプレー孔及び前記第２のスプレー孔は灌漑用水及び農薬をスプレーするように構成されている、請求項１に記載の調整可能な多層太陽光発電パネルシステム。
【請求項１０】
前記少なくとも１つのスプレーアセンブリは前記太陽光発電パネルの１つの太陽光発電パネルに電気的に結合され、該太陽光発電パネルが前記少なくとも１つのスプレーアセンブリを駆動するために電気エネルギーを供給する、請求項９に記載の調整可能な多層太陽光発電パネルシステム。
【請求項１１】
前記２つの第１のスタンドの上に配置された前記太陽光発電パネルの数は４であり、前記２つの第２のスタンドの上に配置された前記太陽光発電パネルの数は３である、請求項２に記載の調整可能な多層太陽光発電パネルシステム。
【請求項１２】
前記洗浄モジュールは２つの第１の洗浄パイプラインと複数の第２の洗浄パイプラインを備え、前記２つの第１の洗浄パイプラインは前記第２の段の上に配置され且つ前記３つの太陽光発電パネルの間に位置し、前記第２の洗浄パイプラインはそれぞれ前記２つの第２のスタンド上の前記太陽光発電パネルの下に配置されている、請求項１１に記載の調整可能な多層太陽光発電パネルシステム。
【請求項１３】
前記取付け台は互いに対向配置された２つの第３のスタンドを更に備え、前記２つの第３のスタンドはそれぞれ前記２つの第２のスタンドの上に配置され、前記２つの第１のスタンドの上に配置された前記太陽光発電パネルの数は３であり、前記２つの第２のスタンドの上に配置された前記太陽光発電パネルの数は４であり、前記２つの第３のスタンドの上に配置された前記太陽光発電パネルの数は２である、請求項２に記載の調整可能な多層太陽光発電パネルシステム。
【請求項１４】
前記洗浄モジュールは１つの第１の洗浄パイプライン及び複数の第２の洗浄パイプラインを備え、前記第１の洗浄パイプラインは前記２つの第３のスタンドの第３の段に配置され且つ２つの第３のスタンド上の前記２つの太陽光発電パネルの間に位置し、前記第２の洗浄パイプラインはそれぞれ前記２つの第２のスタンド上及び前記第３の第２のスタンド上の前記太陽光発電パネルの下に配置されている、請求項１３に記載の調整可能な多層太陽光発電パネルシステム。
【請求項１５】
前記太陽光発電パネルの各々は平坦形状、三角形状又は円弧形状である、請求項１に記載の調整可能な多層太陽光発電パネルシステム。